(57)【要約】【課題】携帯型電子機器でのデジタル放送録画の利便性を向上させる。【解決手段】録画データ生成部１３０は、録画開始指示を契機に、受信した放送データからＴＯＤを生成してデータメモリ５０（内蔵メモリ）に格納するとともに、格納したＴＯＤに対応するＭＯＩおよびＭＡＩを生成してワークメモリ８０に保持する。コピー制御部１４０は、受信した放送データに含まれるデジタルコピー制御情報に基づくコピー制御情報を生成し、録画データ生成部１３０が生成したＴＯＤに付加する。データ暗号化部１５０は、コピー制御情報に応じて、生成されたＴＯＤを暗号化する。ファイル生成部１６０は、録画終了指示を契機に、データメモリ５０（内蔵メモリ）に格納したＴＯＤに、ワークメモリ８０に保持されたＭＯＩおよびＭＡＩを結合するとともに、結合関係を示すヘッダ情報を生成して、一の録画ファイルを生成してデータメモリ５０（内蔵メモリ）に格納する。【選択図】図２
2008035352.tif 000002
【特許請求の範囲】
【請求項１】
デジタルテレビジョン放送の受信・録画機能を有し、
前記録画機能による録画データを格納する内蔵メモリと、
前記内蔵メモリに格納された前記録画データをコピーもしくは移動するための着脱式外部メモリへの読み書きをおこなうインタフェースと、を備える携帯型電子機器において、
前記外部メモリでの録画フォーマットに基づいて生成される複数種類のデータを結合した一のファイルから構成される録画ファイルを生成して前記内蔵メモリに格納する録画制御手段を備える、
ことを特徴とする携帯型電子機器。
【請求項２】
前記複数種類のデータは、SD-Videoフォーマットに基づいて生成されるＴＯＤ（Transport Stream Object Data）、ＭＯＩ（Media Object Information）、ＭＡＩ（Media Object Additional Information）であり、
前記録画制御手段は、
受信した放送データに基づいてＴＯＤ、ＭＯＩ、ＭＡＩを生成し、生成したＴＯＤ、ＭＯＩ、ＭＡＩを結合させて前記録画ファイルを生成する、
ことを特徴とする請求項１に記載の携帯型電子機器。
【請求項３】
前記録画制御手段は、
録画開始指示を契機に、前記受信した放送データからＴＯＤを取得して前記内蔵メモリに格納するとともに、格納したＴＯＤに対応するＭＯＩおよびＭＡＩを生成して所定のワークメモリに保持する録画データ生成手段と、
録画終了指示を契機に、前記内蔵メモリに格納したＴＯＤに、前記ワークメモリに保持されたＭＯＩおよびＭＡＩを結合するとともに、結合関係を示すヘッダ情報を生成して前記録画ファイルを生成するファイル生成手段と、
をさらに備える、
ことを特徴とする請求項２に記載の携帯型電子機器。
【請求項４】
前記録画制御手段は、
前記受信した放送データに含まれるデジタルコピー制御情報に基づくコピー制御情報を生成して前記ＴＯＤに付加し、当該コピー制御情報に基づいて録画時のコピー制御をおこなうコピー制御手段をさらに備える、
ことを特徴とする請求項２または３に記載の携帯型電子機器。
【請求項５】
前記携帯型電子機器は移動体通信端末である、
ことを特徴とする請求項１乃至４のいずれか１項に記載の携帯型電子機器。
【請求項６】
デジタルテレビジョン放送の受信・録画機能を有し、前記録画機能による録画データを格納する内蔵メモリと、前記内蔵メモリに格納された前記録画データをSD-Videoフォーマットで記録する着脱式外部メモリを読み書きするインタフェースと、を備えた携帯型電子機器を制御するコンピュータに、
録画開始指示を契機に、受信した放送データからＴＯＤを生成して前記内蔵メモリに格納するとともに、格納したＴＯＤに対応するＭＯＩおよびＭＡＩを生成して所定のワークメモリに保持する機能と、
前記受信した放送データに含まれるデジタルコピー制御情報に基づくコピー制御情報を生成して前記ＴＯＤに付加し、該コピー制御情報に基づいてコピー制御をおこなう機能と、
録画終了指示を契機に、前記内蔵メモリに格納したＴＯＤに、前記ワークメモリに保持されたＭＯＩおよびＭＡＩを結合するとともに、結合関係を示すヘッダ情報を生成して録画ファイルを生成する機能と、
を実現させることを特徴とするプログラム。
【発明の詳細な説明】
【技術分野】
【０００１】
本発明は、携帯型電子機器、および、プログラムに関し、特に、デジタルテレビ放送の録画に好適な携帯型電子機器、および、プログラムに関する。
【背景技術】
【０００２】
携帯電話などの移動体通信端末では、基本機能である通話機能以外の種々の機能が付加され多機能化が進んでいる。近時では、移動体装置向けのデジタルテレビジョン放送である１セグメント放送（いわゆる、ワンセグ）が実施されており、１セグメント放送を受信可能な移動体通信端末も実用化されている。
【０００３】
また、フラッシュメモリなどの半導体記憶装置の低価格化や、ハードディスク装置の小型・高密度化などに伴い、移動体通信端末のような小型装置でも大容量の記憶装置が搭載可能となっており、受信したデジタルテレビジョン放送の録画も可能となっている（例えば、特許文献１）。
【０００４】
１セグメント放送などのデジタル放送においては、放送内容がデジタルデータで提供されるため、録画内容のコピーを何度おこなっても画質の劣化などがない。よって、放送コンテンツの著作権保護などを目的としたコピー制御（いわゆる、ＣＰＲＭ（Content Protection for Recordable Media））が実施されている。
【０００５】
１セグメント放送におけるコピー制御技術として、これまでは、デジタルコピー制御情報によるコピー制限と、受信端末の内蔵メモリでのコンテンツ保護機能の実装が規定されていた。このため、移動体通信端末で１セグメント放送を録画する場合、内蔵メモリへの録画のみが可能であり、そこからメモリカードや他のデジタル再生装置などへのコピーや移動はできなかった。
【０００６】
しかしながら、内蔵メモリのみに録画可能とする従来の規定では、録画をおこなった装置でしか再生することができず利便性が悪かった。このような状況に鑑み、着脱式メモリカードの一種であるＳＤ（Secure Digital）メモリカード（商標）のコンテンツ保護技術（録画フォーマット）である「SD-Video」（CPRM Specification, SD Memory Card Book, SD-Video Part, Revision 0.95, October 31, 2005）が、地上デジタルテレビジョン放送運用規定（ARIB TR-B14 2.8版）に追加されることになり、ＳＤメモリカード（商標）に１セグメント放送などを直接録画できる他、内蔵メモリからＳＤメモリカード（商標）に録画データを移動させることなどが可能となった。
【０００７】
このように、メモリカードへの録画については、そのフォーマットが規格化されることになったが、上述の地上デジタルテレビジョン放送運用規定（ARIB TR-B14 2.8版）では、内蔵メモリへの録画フォーマットは任意となっている。よって、内蔵メモリに録画したデータをメモリカードに移動させるためには、データコンバートなどの動作をおこなうか、メモリカードに合わせたフォーマットで内蔵メモリに記録する必要がある。
【０００８】
この場合において、上述したSD-Video規格では、１回の録画につき、図１０に示すような、ＴＯＤ（Transport Stream Object Data）、ＭＯＩ（Media Object Information）、および、ＭＡＩ（Media Object Additional Information）と呼ばれる３種類のデータファイルが作成されることになっているため、内蔵メモリへの録画時にこのような複数種類のファイルを生成していては、録画データの管理（例えば、録画データの削除や複製など）やデータコンバートにかかる処理負荷が高くなってしまう虞がある。
【０００９】
移動体通信端末の制御部（ＣＰＵ（Central Processing Unit：中央演算処理装置）など）は、小型装置への実装に伴う制約などにより、パーソナルコンピュータなどと比べて処理能力が制限される一方、多機能化に応じた多くの処理をおこなわなければならない。このため、上記のような高い処理負荷が発生してしまうと、例えば、ユーザの待ち時間が生じるなどといった利便性の低下が起こりうる。
【特許文献１】特開２００３−１１１００４号公報
【発明の開示】
【発明が解決しようとする課題】
【００１０】
本発明は、上記実状に鑑みてなされたものであり、移動体通信端末などでのデジタルテレビジョン放送の録画にかかる利便性を向上させる携帯型電子機器、および、プログラムを提供することを目的とする。
【課題を解決するための手段】
【００１１】
上記目的を達成するため、本発明の第１の観点に係る携帯型電子機器は、
デジタルテレビジョン放送の受信・録画機能を有し、
前記録画機能による録画データを格納する内蔵メモリと、
前記内蔵メモリに格納された前記録画データをコピーもしくは移動するための着脱式外部メモリへの読み書きをおこなうインタフェースと、を備える携帯型電子機器において、
前記外部メモリでの録画フォーマットに基づいて生成される複数種類のデータを結合した一のファイルから構成される録画ファイルを生成して前記内蔵メモリに格納する録画制御手段を備える、
ことを特徴とする。
【００１２】
上記携帯型電子機器において、
前記複数種類のデータは、SD-Videoフォーマットに基づいて生成されるＴＯＤ（Transport Stream Object Data）、ＭＯＩ（Media Object Information）、ＭＡＩ（Media Object Additional Information）とすることができ、この場合、
前記録画制御手段は、
受信した放送データに基づいてＴＯＤ、ＭＯＩ、ＭＡＩを生成し、生成したＴＯＤ、ＭＯＩ、ＭＡＩを結合させて前記録画ファイルを生成することが望ましい。
【００１３】
上記携帯型電子機器において、
前記録画制御手段は、
録画開始指示を契機に、前記受信した放送データからＴＯＤを取得して前記内蔵メモリに格納するとともに、格納したＴＯＤに対応するＭＯＩおよびＭＡＩを生成して所定のワークメモリに保持する録画データ生成手段と、
録画終了指示を契機に、前記内蔵メモリに格納したＴＯＤに、前記ワークメモリに保持されたＭＯＩおよびＭＡＩを結合するとともに、結合関係を示すヘッダ情報を生成して前記録画ファイルを生成するファイル生成手段と、
をさらに備えていることが望ましい。
【００１４】
上記携帯型電子機器において、
前記録画制御手段は、
前記受信した放送データに含まれるデジタルコピー制御情報に基づくコピー制御情報を生成して前記ＴＯＤに付加し、当該コピー制御情報に基づいて録画時のコピー制御をおこなうコピー制御手段をさらに備えていることが望ましい。
【００１５】
上記携帯型電子機器は移動体通信端末とすることができる。
【００１６】
上記目的を達成するため、本発明の第２の観点にかかるプログラムは、
デジタルテレビジョン放送の受信・録画機能を有し、前記録画機能による録画データを格納する内蔵メモリと、前記内蔵メモリに格納された前記録画データをSD-Videoフォーマットで記録する着脱式外部メモリを読み書きするインタフェースと、を備えた携帯型電子機器を制御するコンピュータに、
録画開始指示を契機に、受信した放送データからＴＯＤを生成して前記内蔵メモリに格納するとともに、格納したＴＯＤに対応するＭＯＩおよびＭＡＩを生成して所定のワークメモリに保持する機能と、
前記受信した放送データに含まれるデジタルコピー制御情報に基づくコピー制御情報を生成して前記ＴＯＤに付加し、該コピー制御情報に基づいてコピー制御をおこなう機能と、
録画終了指示を契機に、前記内蔵メモリに格納したＴＯＤに、前記ワークメモリに保持されたＭＯＩおよびＭＡＩを結合するとともに、結合関係を示すヘッダ情報を生成して録画ファイルを生成する機能と、
を実現させることを特徴とする。
【発明の効果】
【００１７】
本発明によれば、メモリカードへの録画フォーマットで作成される複数種類のデータを結合した一のファイルを生成して内蔵メモリに格納するので、内蔵メモリ内の録画データの扱いが容易になり利便性が向上する。
【発明を実施するための最良の形態】
【００１８】
以下、本発明にかかる実施形態を、図面を参照して説明する。本実施形態では、本発明にかかる携帯型電子機器を移動体通信端末によって構成した場合を説明する。本実施形態にかかる移動体通信端末１は、例えば、携帯電話やＰＨＳ（Personal Handyphone System）等といった移動体通信用の端末装置（電話機）であり、本実施形態では、デジタルテレビジョン放送の受信・録画機能を備えているものとする。なお、本実施形態では、移動体通信端末１が受信・録画するデジタルテレビジョン放送として、移動体向けの１セグメント放送を想定する。
【００１９】
このような移動体通信端末１の構成を、図１を参照して説明する。図１は、本発明の実施形態に係る移動体通信端末１の構成例を示すブロック図である。図示するように、本実施形態にかかる移動体通信端末１は、通信機能部１０、放送受信部２０、操作部３０、表示部４０、データメモリ５０、カードインタフェース（Ｉ／Ｆ）６０、プログラムメモリ７０、制御部１００、などから構成されている。
【００２０】
通信機能部１０は、移動体通信端末１の基本機能である通信機能にかかる動作をおこなうものであり、例えば、ＣＤＭＡ（Code Division Multiple Access：符号分割多重接続）方式などの通信方式を用いた通信装置などで構成され、当該通信方式に対応したアンテナ１１による無線送受信をおこなうことで、近傍の基地局と無線通信をおこなう。
【００２１】
通信機能部１０はまた、例えば、音声処理をおこなうコーデック回路などを備え、音声通話にかかる音声処理をおこなう。すなわち、受信した音声データをアナログ信号に変換してスピーカ１２から出力する他、マイクロフォン１３から入力された送話音声をデジタルデータに変換して送信に供する。
【００２２】
放送受信部２０は、例えば、地上デジタル放送用の受信装置などから構成され、１セグメント放送によって送信された放送電波を受信する。放送受信部２０は、所定のチューナ回路や復調回路などを含んでおり、１セグメント放送受信用のアンテナ２１によって受信される放送電波の復号処理などをおこなうことで、移動体通信端末１のデジタルテレビジョン受信機能が実現される。
【００２３】
１セグメント放送の場合、通常、MPEG-2システム（ISO/IEC 13818-1）で規定されるトランスポート・ストリーム（Transport Stream：ＴＳ）形式で映像データ、音声データ、付加データが多重化されたパケット（ＴＳパケット）によって放送データが構成されている。よって、本実施形態では、このようなＴＳパケットシーケンスを放送受信部２０が受信することで、移動体通信端末１のデジタルテレビジョン受信機能が実現される。
【００２４】
操作部３０は、例えば、十字カーソルキーや、数字や文字を入力するための文字キー（テンキー）、種々の機能などを指定するための機能キー等から構成され、移動体通信端末１のユーザによって操作される。操作部３０は、これらのキーが操作されることに応じた入力信号を生成して制御部１００に入力する。
【００２５】
表示部４０は、例えば、液晶表示装置などから構成された表示出力装置であり、制御部１００の制御によって画像等を表示出力する。本実施形態では、移動体通信端末１のデジタルテレビジョン受信・録画機能によって受信・録画されたテレビ番組の動画像などが表示部４０によって表示出力される。
【００２６】
なお、放送受信部２０が受信したテレビジョン放送の音声については、上述した通信機能部１０のコーデック回路にて処理されてスピーカ１２から出力されるものとする。
【００２７】
データメモリ５０は、例えば、フラッシュメモリやハードディスク装置などから構成され、種々のデータを格納する。本実施形態では、移動体通信端末１のデジタルテレビジョン録画機能によって録画された放送データを格納するための内蔵メモリとして機能する。
【００２８】
カードＩ／Ｆ６０は、例えば、着脱式のメモリカードＭＣ（外部メモリ）が装着されるメモリカードスロットなどによって構成される。本実施形態では、カードＩ／Ｆ６０に装着されるメモリカードＭＣ（外部メモリ）として、SD-Video規格のフォーマットで映像データ等を記録可能なＳＤメモリカード（商標）を想定する。カードＩ／Ｆ６０は、制御部１００の制御により、装着されたメモリカードＭＣ（外部メモリ）への読み書きをおこなう。本実施形態では、このような動作により、データメモリ５０（内蔵メモリ）に格納された録画データのメモリカードＭＣ（外部メモリ）へのコピーや移動などがおこなわれるものとする。
【００２９】
プログラムメモリ７０は、例えば、ＲＯＭ（Read Only Memory）やフラッシュメモリなどから構成され、制御部１００が実行するプログラムを格納する。
【００３０】
制御部１００は、例えば、ＣＰＵ（Central Processing Unit：中央演算処理装置）やＲＡＭ（Random Access Memory）などから構成され、移動体通信端末１の各部の動作を制御する。本実施形態では、制御部１００が、プログラムメモリ７０に格納されている動作プログラムを実行することで、後述する各処理が実現される。なお、制御部１００に構成されるＲＡＭは、ＣＰＵが処理を実行する際にワークメモリ８０として機能する。
【００３１】
本実施形態では、制御部１００がプログラムを実行することで、移動体通信端末１の録画機能を制御するための録画制御部（録画制御部１００）として機能する。より詳細には、図２の機能ブロック図に示すような各構成として機能する。すなわち、移動体通信端末１でデジタルテレビジョン放送の録画をおこなう際、制御部１００は、図示するような、録画操作判別部１１０、コピー制御判別部１２０、録画データ生成部１３０、コピー制御部１４０、データ暗号化部１５０、ファイル生成部１６０、などとして機能する。
【００３２】
録画操作判別部１１０は、操作部３０との協働により、移動体通信端末１の録画機能にかかる操作を判別する。ここでは、録画開始指示の入力、および、録画終了指示の入力の有無などを判別する。
【００３３】
コピー制御判別部１２０は、放送受信部２０との協働により、放送受信部２０が受信するＴＳパケットに含まれているコピー制御情報を取得し、録画対象とするテレビジョン放送に施されているコピー制御種別を判別する。本実施形態では、ＴＳパケットを構成しているＰＭＴ（Program Map Table：番組対応テーブル）パケットに含まれているデジタルコピー制御情報に基づいてコピー制御の判別をおこなうものとする。このＰＭＴパケットは、MPEG-2システム（ISO/IEC 13818-1）で規定されるとともに、SD-Video規格のコピー制御技術（ＣＰＲＭ）として地上デジタルテレビジョン放送運用規定（ARIB TR-B14）に規定されているものであり、図６（ａ）に示すように、放送されたＴＳパケットシーケンス内に一定周期（200ms〜500ms間隔）で挿入されるものである。
【００３４】
ＰＭＴパケットに含まれるデジタルコピー制御情報の例を図６（ｂ）に示す。図示するように、デジタルコピー制御情報は、デジタルコピー制御記述子とコンテント利用記述子とから構成されており、記述子値によってコピー制御の種別を規定している。
【００３５】
なお、図６（ｂ）に示すようなデジタルコピー制御情報の規定内容を示す対応表が、例えば、データメモリ５０などに予め格納されているものとし、コピー制御判別部１２０は、この対応表を参照して、録画対象としているデジタルテレビジョン放送に施されているコピー制御の判別をおこなうものとする。
【００３６】
録画データ生成部１３０は、移動体通信端末１の録画機能によってデータメモリ５０（内蔵メモリ）に格納する録画データを生成する。本実施形態では、SD-Video規格に準拠したデータ生成をおこなうものとする。すなわち、録画データ生成部１３０は、放送受信部２０が受信したＴＳパケットシーケンスからＴＯＤ（Transport Stream Object Data）を取得するとともに、ＭＯＩ（Media Object Information）、および、ＭＡＩ（Media Object Additional Information）を生成する。
【００３７】
ＴＯＤは、映像や音声などといった、受信したテレビジョン放送のコンテンツを示すデータである。よって、ＴＯＤは、受信したＴＳパケットのペイロード部を取得することで生成される。ＭＯＩは、管理情報の一種であり、早送りや早戻りなどのシーク情報や録画時間情報などが含まれる。ＭＡＩも管理情報の一種であり、欠落パケット情報などが含まれる。
【００３８】
ここで、録画データ生成部１３０は、生成したＴＯＤをデータメモリ５０（内蔵メモリ）に格納するとともに、生成したＭＯＩおよびＭＡＩをワークメモリ８０に保持させる。
【００３９】
なお、録画データ生成部１３０は、録画操作判別部１１０が判別した録画開始指示の入力を契機に録画データの生成を開始し、そのときに放送受信部２０が受信しているデジタルテレビジョン放送のＴＳパケットから録画データを生成する。
【００４０】
コピー制御部１４０は、コピー制御判別部１２０によって判別されたコピー制御種別に応じて、録画データ生成部１３０が生成した録画データに付加するコピー制御情報を生成する。本実施形態では、SD-Video規格で規定されているＲＤＩ（Real-Time Data Information）パケットを用いて、録画データへのコピー制御情報付加をおこなうものとする。
【００４１】
この場合、コピー制御部１４０は、コピー制御種別を示すＣＰＦ（Copy Permission Flag：コピー制御フラグ）を含んだＲＤＩパケットを生成し、図７（ａ）に示すように、録画データ生成部１３０が生成したＴＯＤパケットシーケンスに所定周期で挿入する。コピー制御部１４０は、例えば、図７（ｂ）に示すような対応関係に基づいて、ＣＰＦの値を設定してＲＤＩパケットの生成をおこなうものとする。
【００４２】
なお、図７（ｂ）に示すようなＣＰＦ値とコピー制御種別との対応を示す対応表が、例えば、データメモリ５０などに予め格納されているものとし、コピー制御部１４０は、この対応表を参照して、コピー制御判別部１２０の判別結果に応じたＣＰＦ値の設定をおこなうものとする。
【００４３】
データ暗号化部１５０は、コピー制御部１４０が生成したＲＤＩパケットのＣＰＦ値に応じて、ＴＯＤパケットの暗号化をおこなう。つまり、コピー制御部１４０が生成したＲＤＩパケットのＣＰＦ値が、パケットシーケンスの暗号化を示すものである場合（図７（ｂ）参照）、データ暗号化部１５０は、当該ＲＤＩに続くＴＯＤパケットシーケンスを暗号化する。なお、暗号化の方法は任意であり、例えば、SD-Video規格で規定されている暗号化方法などを用いて暗号化する。
【００４４】
ファイル生成部１６０は、録画操作判別部１１０が判別した録画終了指示の入力を契機に、録画データ生成部１３０がデータメモリ５０（内蔵メモリ）に格納したＴＯＤパケットシーケンスに、ワークメモリ８０で保持されているＭＯＩとＭＡＩとを結合して一の録画ファイルを生成する。すなわち、１回の録画動作に対応した一の録画ファイルが生成されてデータメモリ５０（内蔵メモリ）に格納される。
【００４５】
本実施形態では、このような録画制御にかかる動作を、制御部１００がプログラムを実行することで実現されるものとするが、これに限られず、例えば、ＡＳＩＣ（Application Specific Integrated Circuit：特定用途向け集積回路）などの専用ハードウェアによって録画制御部１００の各構成を実現してもよい。
【００４６】
上記各構成は本発明を実現するために必要な構成であり、移動体通信端末としての基本機能や付加機能のために必要なその他の構成は必要に応じて備えられているものとする。
【００４７】
このような構成を有する移動体通信端末１の動作を以下説明する。ここでは、移動体通信端末１のデジタルテレビジョン受信・録画機能によって放送の受信・録画をおこなう際に実行される放送受信・録画処理を、図３に示すフローチャートを参照して説明する。この放送受信・録画処理は、移動体通信端末１のユーザが操作部３０を操作することにより、デジタルテレビジョン受信機能の実行を指示したことを契機に開始されるものとする。
【００４８】
処理が開始されると、放送受信部２０の動作により、デジタルテレビジョン放送の放送電波の受信が開始され、当該放送電波で送信されたＴＳパケットが順次取得される。これにより、選局されたチャンネルで放送されている映像が表示部４０に表示出力されるとともに、スピーカ１２から音声が出力される（ステップＳ１０１）。
【００４９】
このようにして放送を受信している状態で、録画開始を指示するための操作部３０が操作されると（ステップＳ１０２：Ｙｅｓ）、その旨を示す入力信号が操作部３０から制御部１００に入力される。この場合、当該入力信号により、録画開始が指示されたと録画操作判別部１１０が判別する。
【００５０】
録画開始指示の入力を判別すると、録画操作判別部１１０は、録画動作の開始をコピー制御判別部１２０と録画データ生成部１３０に通知する。この通知に応じて、録画データ生成部１３０は、データメモリ５０（内蔵メモリ）にアクセスし、録画ファイルのヘッダ領域となる結合情報領域とユーザ情報領域（詳細後述）を作成した上で、放送受信部２０が受信しているＴＳパケットシーケンスの取得を開始する（ステップＳ１０３）。
【００５１】
この場合、コピー制御判別部１２０は、録画データ生成部１３０が取得するＴＳパケットシーケンスに挿入されているＰＭＴパケットを取得する（ステップＳ１０４）。ＰＭＴパケットを取得すると、コピー制御判別部１２０は、当該ＰＭＴパケット記述されているデジタルコピー制御記述子に基づいて、受信しているデジタルテレビジョン放送に施されているコピー制御を判別し、コピー制御部１４０との協働によってコピー制御をおこなうためのコピー制御処理を実行する（ステップＳ２００）。
【００５２】
このコピー制御処理においては、まず、取得したＰＭＴパケットのデジタルコピー制御情報に基づいて、録画対象となる受信中の放送に施されているコピー制御種別の判別をおこなう。
【００５３】
ここで、ＴＳパケットシーケンスに挿入されているＰＭＴパケットは、番組毎に用意されており、当該番組に含まれる映像ストリームや音声ストリームの属性を示す情報や、それぞれのストリームが入っているＴＳパケットのＰＩＤ（Packet Identifier：パケット識別子）が記述されている他、上述したように、図６（ｂ）に示すようなコピー制御情報が含まれている。図６（ｂ）に示すように、ＰＭＴパケットのデジタルコピー制御情報には、「デジタルコピー制御記述子」と「コンテント利用記述子」が含まれている。デジタルコピー制御記述子は、それぞれ２ビットの「copy_control_type」と「digital_recording_control_data」から構成され、コンテント利用記述子は、１ビットの「encryption_mode」から構成されている。
【００５４】
copy_control_typeは、コピー制御対象となるデータの種別を示すものであり、例えば、デジタルテレビジョン放送で受信される映像データなどについては「01」で示されているものとする。そして、digital_recording_control_dataで示される２ビットの値によって、コピー制御種別が規定される。図６（ｂ）に示すように、例えば、値が00であれば「無条件にコピー可能（Copy Freely）」であり、値が10であれば「１世代のみコピー可能（Copy Once）」であり、値が11であれば「コピー禁止」である。
【００５５】
また、コンテント利用記述子のencryption_modeは、無条件にコピー可能であるコンテンツに対する出力保護を規定する。例えば、値が0であれば、当該コンテンツに対する出力保護が「なし」であることが示され、値が1であれば、出力保護が「あり」であることが示される。この場合の出力保護とは、例えば、暗号化やスクランブルなどである。例えば、コピー回数の制限が設定されていないコンテンツであっても、コピー時に暗号化を要求することで特定の再生機器でのみの再生を許可してコンテンツの著作権保護を図る場合に、encryption_modeが「出力保護あり」に設定される。
【００５６】
このようなデジタルコピー制御情報に基づいてコピー制御種別の判別等をおこなうコピー制御処理における動作を、図４に示すフローチャートを参照して説明する。
【００５７】
コピー制御判別部１２０は、取得したＰＭＴパケットのデジタルコピー制御情報を参照し、まず、copy_control_typeに設定されている値に基づいて、当該ＰＭＴパケットが指定するコピー制御対象が録画対象データであるか否かを判別する（ステップＳ２０１）。ここでは、デジタルテレビジョン放送の録画にかかる処理であるため、当該デジタルコピー制御情報が対象としているデータが録画対象を示しているか否かを判別する。
【００５８】
この場合、コピー制御判別部１２０は、copy_control_typeの値が01であるか否かを判別することによって、指定されているコピー制御対象が録画対象データであるか否かを判別することができる。つまり、copy_control_typeの値が01であれば、指定されたコピー制御対象が録画対象データということになり、値が01以外であれば、指定されたコピー制御対象が録画対象データではないということになる。指定されたコピー制御の対象が録画対象データではない場合（ステップＳ２０１：Ｎｏ）、メインルーチンである放送受信・録画処理（図３）のステップＳ１０４に戻り、次のＰＭＴパケットを取得する。
【００５９】
一方、取得したＰＭＴパケットが指定するコピー制御対象が録画対象データである場合（ステップＳ２０１：Ｙｅｓ）、コピー制御判別部１２０は、digital_recording_control_dataに設定されている値に基づいて、コピー制限の有無を判別する（ステップＳ２０２）。
【００６０】
つまり、digital_recording_control_dataの値が、１世代のみコピー可能であることを示す10か、コピー禁止であることを示す11であれば「コピー制限あり」ということになり、無条件にコピー可能であることを示す00であれば「コピー制限なし」ということになる。
【００６１】
digital_recording_control_dataの値に基づいて、コピー制限ありと判別した場合（ステップＳ２０２：Ｙｅｓ）、コピー制御判別部１２０はさらに、コピー制限の回数が指定されているか否かを判別する（ステップＳ２０３）。ここでは、digital_recording_control_dataの値が10であるか11であるかによって、コピー制限の回数を判別する。すなわち、digital_recording_control_dataの値が10の場合、１世代のみコピー可能であること（いわゆる、コピーワンス）を示しているので「回数指定あり」と判別する。一方、digital_recording_control_dataの値が11の場合はコピー禁止を示しているので「回数指定なし」と判別する。
【００６２】
また、digital_recording_control_dataの値に基づいて、コピー制限なしと判別した場合（ステップＳ２０２：Ｎｏ）、コピー制御判別部１２０はさらに、出力保護の有無を判別する（ステップＳ２０４）。ここでは、取得したＰＭＴパケットのコンテント利用記述子として設定されているencryption_modeの値に基づいて出力保護の有無を判別する。すなわち、encryption_modeの値が0であれば「出力保護なし」と判別し、encryption_modeの値が1であれば「出力保護あり」と判別する。
【００６３】
このような、ステップＳ２０２〜Ｓ２０４の判別処理によって、録画対象のデジタルテレビジョン放送に施されているコピー制御の種別を判別すると、コピー制御判別部１２０は、判別結果をコピー制御部１４０に通知する。
【００６４】
コピー制御判別部１２０からの通知に応じて、コピー制御部１４０は、録画データに付加するコピー制御情報を生成する。ここでは、図７（ｂ）に示すような対応表に基づいて、通知されたコピー制御種別に対応するＣＰＦ値を設定したＲＤＩを生成する。
【００６５】
つまり、録画対象のデジタルテレビジョン放送に施されているコピー制御が「コピー禁止」である場合（ステップＳ２０２：Ｙｅｓ、Ｓ２０３：Ｎｏ）、コピー制御部１４０は、コピー禁止に対応するＣＰＦ値「11」が設定されたＲＤＩパケットを生成する（ステップＳ２０５）。
【００６６】
同様に、判別されたコピー制御が「コピーワンス」である場合（ステップＳ２０２：Ｙｅｓ、Ｓ２０３：Ｙｅｓ）は、コピーワンスに対応するＣＰＦ値「10」が設定されたＲＤＩパケットを生成する（ステップＳ２０６）。
【００６７】
また、判別されたコピー制御が「無条件コピー＋出力保護なし」である場合（ステップＳ２０２：Ｎｏ、Ｓ２０４：Ｎｏ）の場合は、対応するＣＰＦ値「00」が設定されたＲＤＩパケットを生成し（ステップＳ２０７）、「無条件コピー＋出力保護あり」（いわゆる、ＥＰＮ（Encryption Plus Non-Assertion））である場合（ステップＳ２０２：Ｎｏ、Ｓ２０４：Ｙｅｓ）は、対応するＣＰＦ値「01」が設定されたＲＤＩパケットを生成する（ステップＳ２０８）。
【００６８】
このようにして、録画対象のデジタルテレビジョン放送に施されているコピー制御に応じたＲＤＩパケットを生成すると、図３に示す放送受信・録画処理のフローに戻る。
【００６９】
放送受信・録画処理に戻ると、コピー制御部１４０は、コピー制御処理で生成したＲＤＩパケットを、ステップＳ１０３でデータメモリ５０（内蔵メモリ）に作成したヘッダ領域に続けて格納する（ステップＳ１０５）。
【００７０】
そして、録画データ生成部１３０が、放送受信部２０から取得しているＴＳパケットシーケンスからＴＯＤパケットを順次生成する（ステップＳ１０６）。つまり、ＴＳパケットシーケンスから映像や音声を示すペイロード部分を順次取得し、コンテンツを示す録画データとなるＴＯＤを順次生成する。
【００７１】
ここで、コピー制御部１４０は、コピー制御処理で生成したＲＤＩパケットに基づいて、暗号化の要否を判別し（ステップＳ１０７）、暗号化が必要な場合（ステップＳ１０７：Ｙｅｓ）、その旨をデータ暗号化部１５０に通知する。この場合、データ暗号化部１５０は、録画データ生成部１３０が生成したＴＯＤパケットを暗号化し（ステップＳ１０８）、ステップＳ１０５でデータメモリ５０（内蔵メモリ）に格納されたＲＤＩパケットに続けて格納する（ステップＳ１０９）。
【００７２】
一方、暗号化が不要である場合（ステップＳ１０７：Ｎｏ）は、ステップＳ１０６で生成したＴＯＤパケットを、録画データ生成部１３０が、データメモリ５０（内蔵メモリ）に格納されたＲＤＩパケットに続けて格納する（ステップＳ１０９）。
【００７３】
録画データ生成部１３０は、このようなＴＯＤパケットの生成と並行して、管理情報であるＭＯＩおよびＭＡＩを順次生成し、ワークメモリ８０内に保持する（ステップＳ１１０）。ここで、ＭＯＩおよびＭＡＩの生成にあたっては、例えば、ストリーム再生時の基準となる時間情報であるＰＣＲ（Program Clock Reference：番組時刻基準値情報）をＴＳパケットシーケンスから取得するなどして、シーク情報や録画時間などを示すＭＯＩを生成する。また、例えば、放送受信部２０での誤り訂正機能などに基づいて、欠落パケット情報などのＭＡＩを生成する。
【００７４】
このような、ＴＯＤパケットを生成してデータメモリ５０（内蔵メモリ）に格納するとともに、生成したＭＯＩおよびＭＡＩをワークメモリ８０に保持する動作は、取得しているＴＳパケットシーケンスから次のＰＭＴパケットが取得されるまで続けられる（ステップＳ１１１：Ｎｏ、Ｓ１１２：Ｎｏ）。
【００７５】
また、取得しているＴＳパケットシーケンスに次のＰＭＴパケットがある場合（ステップＳ１１２：Ｙｅｓ）は、当該ＰＭＴパケットを取得の上（ステップＳ１０４）、コピー制御処理（ステップＳ２００）を再度実行することで新たなＲＤＩパケットが生成される。この場合は、すでにデータメモリ５０（内蔵メモリ）に格納したＴＯＤパケットに続けてＲＤＩパケットを格納する。そして、新たに格納したＲＤＩパケットに続けてＴＯＤパケットを格納するとともに、ＭＯＩおよびＭＡＩをワークメモリ８０に保持する（ステップＳ１０５〜Ｓ１１０）。
【００７６】
このようにして、SD-Video規格に基づいた録画データであるＴＯＤ、ＭＯＩ、ＭＡＩが順次生成される。すなわち、図８に示すように、ＣＰＦ値が設定されたＲＤＩパケットにＴＯＤパケットが続くデータ構造の録画データがデータメモリ５０（内蔵メモリ）内に順次格納されるとともに、ＭＯＩとＭＡＩがワークメモリ８０内に保持される。
【００７７】
そして、ユーザが操作部３０を操作することによって録画終了指示が入力されると（ステップＳ１１１：Ｙｅｓ）、操作部３０は、その旨を示す信号を制御部１００に入力する。これにより、録画操作判別部１１０は、録画終了指示が入力されたと判別する。
【００７８】
この場合、録画操作判別部１１０は、ファイル生成部１６０に、生成されたＴＯＤとＭＯＩおよびＭＡＩとを用いた録画ファイルの生成を指示する。録画操作判別部１１０からの指示に応じて、ファイル生成部１６０は、録画ファイルを生成するための録画ファイル生成処理を実行する（ステップＳ３００）。
【００７９】
この処理においては、ＳＤメモリカード（商標）であるメモリカードＭＣ（外部メモリ）に録画データを記録するためのSD-Video規格に準じるが、SD-Video規格で規定されているファイル形式とは異なるファイル形式の録画ファイルを生成してデータメモリ５０（内蔵メモリ）に格納する。生成される録画ファイルのデータ構造を、図９を参照して説明する。
【００８０】
録画ファイル全体は、図９（ａ）に示すようなデータ構造を有している。図示するように、ファイル生成部１６０によって生成される録画ファイルは、結合情報領域、ユーザ情報領域、ＴＯＤブロック、ＭＯＩブロック、ＭＡＩブロック、から構成されており、このうち、結合情報領域とユーザ情報領域が録画ファイルのヘッダ部を構成し、ＴＯＤブロック、ＭＯＩブロック、ＭＡＩブロックが録画ファイルの実データ部を構成している。
【００８１】
結合情報領域は、例えば、３２バイト長の領域であり、当該録画ファイルの結合関係を管理する情報（結合情報）を格納する領域である。
【００８２】
ユーザ情報領域は、例えば、５１２バイト長の領域であり、実データであるＴＯＤ、ＭＯＩ、ＭＡＩには含まれないタイトル情報（例えば、ＲＤＩパケットに記述されるベンダＩＤや録画データの移動可否情報などといった任意のユーザ情報）を格納する領域である。
【００８３】
このような結合情報領域とユーザ情報領域から構成されるヘッダ部は、上述した放送受信・録画処理（図３）のステップＳ１０３において、その領域がデータメモリ５０（内蔵メモリ）内に確保されているものである。
【００８４】
ＴＯＤブロックは、上記ヘッダ部に続いて用意された領域であり、録画動作によって順次生成されたＴＯＤパケットを格納する領域である。
【００８５】
ＭＯＩブロックは、上記ＴＯＤブロックに続いて用意された領域であり、録画動作によって生成されたＭＯＩを格納する領域である。
【００８６】
ＭＡＩブロックは、上記ＭＯＩブロックに続いて用意された領域であり、録画動作によって生成されたＭＡＩを格納する領域である。
【００８７】
このような各領域のうち、結合情報領域に格納される結合情報のデータ構成例を、図９（ｂ）を参照して説明する。図示するように、結合情報には、ファイルタイプ情報、ファイルサイズ情報、ＴＯＤオフセット情報、ＴＯＤサイズ情報、ＭＯＩオフセット情報、ＭＯＩサイズ情報、ＭＡＩオフセット情報、ＭＡＩサイズ情報、などといった情報が含まれる（各情報は、例えば、４バイト）。
【００８８】
このようなデータ構造の録画ファイルを生成する録画ファイル生成処理の詳細を、図５に示すフローチャートを参照して説明する。
【００８９】
処理が開始されると、ファイル生成部１６０はまず、データメモリ５０（内蔵メモリ）にアクセスし、放送受信・録画処理（図３）のステップＳ１０３で用意した結合情報領域にファイルタイプ情報を記録する（ステップＳ３０１）。
【００９０】
ファイルタイプ情報は、生成する録画ファイルのファイルタイプを示す情報であり、移動体通信端末１が受信した１セグメント放送の録画ファイルであれば、ファイルタイプとして、例えば、「1seg」という文字列が記録される。
【００９１】
次にファイル生成部１６０は、結合情報領域にＴＯＤオフセット情報を記録する（ステップＳ３０２）。ＴＯＤオフセット情報は、生成する録画ファイルにおいてＴＯＤブロックの開始位置を示す情報である。上述したように、ＴＯＤブロックはヘッダ部に続いて格納されるので、ヘッダ部のデータ長を示す情報がＴＯＤオフセット情報となる。例えば、結合情報領域が３２バイト長で、ユーザ情報領域が５１２バイト長であれば、ＴＯＤオフセット情報として「544」（３２＋５１２）が記録されることになる。
【００９２】
次にファイル生成部１６０は、上述した放送受信・録画処理（図３）のステップＳ１０５とＳ１０９で順次格納したＲＩＤパケットとＴＯＤパケットのブロックサイズ（ＴＯＤブロックサイズ）を取得し、結合情報領域にＴＯＤサイズ情報として記録する（ステップＳ３０３）。
【００９３】
ＴＯＤブロックサイズを記録すると、ファイル生成部１６０は、ＴＯＤブロックに続けて格納するＭＯＩの開始位置を示すＭＯＩオフセット情報を結合情報領域に格納する（ステップＳ３０４）。ここでは、ＴＯＤブロックの終端に続けてＭＯＩが格納されるので、ファイル生成部１６０は、ステップＳ３０２で記録したＴＯＤオフセット情報が示す値と、ステップＳ３０３で記録したＴＯＤサイズ情報が示す値の合計値をＭＯＩオフセット情報として記録する。
【００９４】
ＭＯＩオフセット情報を記録すると、ファイル生成部１６０は、上述した放送受信・録画処理（図３）のステップＳ１１０でワークメモリ８０に保持させたＭＯＩを取得し、データメモリ５０（内蔵メモリ）に格納してあるＴＯＤブロックに続けて格納し（ステップＳ３０５）、格納したＭＯＩのブロックサイズ（ＭＯＩブロックサイズ）を取得し、結合情報領域にＭＯＩサイズ情報として記録する（ステップＳ３０６）。
【００９５】
ＭＯＩブロックサイズを記録すると、ファイル生成部１６０は、ＭＯＩブロックに続けて格納するＭＡＩの開始位置を示すＭＡＩオフセット情報を結合情報領域に格納する（ステップＳ３０７）。ここでは、ＭＯＩブロックの終端に続けてＭＡＩが格納されるので、ファイル生成部１６０は、ステップＳ３０２で記録したＴＯＤオフセット情報が示す値と、ステップＳ３０３で記録したＴＯＤサイズ情報が示す値と、ステップＳ３０４で記録したＭＯＩオフセット情報が示す値と、ステップＳ３０５で記録したＭＯＩサイズ情報が示す値の合計値をＭＡＩオフセット情報として記録する。
【００９６】
ＭＡＩオフセット情報を記録すると、ファイル生成部１６０は、上述した放送受信・録画処理（図３）のステップＳ１１０でワークメモリ８０に保持させたＭＡＩを取得し、データメモリ５０（内蔵メモリ）に格納してあるＭＯＩブロックに続けて格納し（ステップＳ３０８）、格納したＭＡＩのブロックサイズ（ＭＡＩブロックサイズ）を取得し、結合情報領域にＭＡＩサイズ情報として記録する（ステップＳ３０９）。
【００９７】
このようにして、ヘッダ情報に続けてＴＯＤ、ＭＯＩ、ＭＡＩの実データを一のファイルとした図８（ｂ）に示すような録画ファイルをデータメモリ５０（内蔵メモリ）に格納すると、ファイル生成部１６０は、ファイル全体のサイズを取得し、ファイルサイズ情報として結合情報領域に格納する（ステップＳ３１０）。
【００９８】
受信した放送データから生成されたＴＯＤ、ＭＯＩ、ＭＡＩの各データを一のファイルとして格納し、その結合関係を示す結合情報をヘッダとして記録すると、ファイル生成部１６０は、任意に記録されるユーザ情報をユーザ情報領域に記録して（ステップＳ３１１）、処理を終了する。
【００９９】
このような処理により、移動体通信端末１にてデジタルテレビジョン放送を録画した場合、１回の録画動作につき一の録画ファイルが生成される。この録画ファイルは、SD-Video規格に準じた複数種類のデータを結合させて一のファイルにしたものであるため、SD-Videoに完全準拠した録画動作ではそれぞれ別ファイルとして生成されるＴＯＤ、ＭＯＩ、ＭＡＩが１つのファイルとしてデータメモリ５０（内蔵メモリ）に記録されるので、移動体通信端末１内での録画ファイルを容易に管理することができる。
【０１００】
また、結合関係を管理するための結合情報をヘッダとして録画ファイルに記録しているので、生成した録画ファイル内でのＴＯＤ、ＭＯＩ、ＭＡＩそれぞれの位置やデータサイズを認識できるので、データメモリ５０（内蔵メモリ）内に格納した録画ファイルからSD-Video規格に完全準拠した録画ファイルを容易に生成することができる。
【０１０１】
例えば、データメモリ５０（内蔵メモリ）の録画ファイルを、カードＩ／Ｆ６０に装着したメモリカードＭＣ（外部メモリ）にコピーもしくは移動させる場合、他の再生装置で再生させるにはSD-Video規格に完全準拠したファイル形式でメモリカードＭＣ（外部メモリ）内に格納する必要がある。このような場合であっても、結合情報に基づいて、録画ファイルからＴＯＤ、ＭＯＩ、ＭＡＩのそれぞれを抽出することができるので、図１０に示すようなディレクトリ構造を容易にメモリカードＭＣ（外部メモリ）に再構築してコピーもしくは移動させることができる。
【０１０２】
以上説明したように、本発明を上記実施形態の如く適用することで、メモリカード（外部メモリ）への録画データのコピーもしくは移動に必要なフォーマットを容易に再構築可能であり、かつ、録画した装置の内蔵メモリでの容易な管理を可能とするファイル形式でデジタルテレビジョン放送の録画をおこなうことができる。これにより、録画物を他の装置でも再生できる汎用性を維持しつつ、録画をおこなった移動体通信端末などでの処理負荷が軽減させることができるので、処理負荷に伴うユーザの待ち時間などを生じさせずに録画したコンテンツを広く利用することができ、利便性が向上する。
【０１０３】
また、デジタル放送で一般的におこなわれているコピー制御を反映させて録画ファイルが生成されるので、内蔵メモリからメモリカードＭＣに録画ファイルをコピーもしくは移動させる場合に適切なコピー制御をおこなうことができ、コンテンツの著作権保護を図りつつ利便性を向上させることができる。
【０１０４】
上記実施形態は一例であり、本発明の適用範囲はこれに限られない。すなわち、種々の応用が可能であり、あらゆる実施の形態が本発明の範囲に含まれる。
【０１０５】
例えば、上記実施形態では、メモリカードへの録画フォーマットの例としてSD-Video規格を例示したが、複数種類のデータファイルが生成されるような録画フォーマットであれば、本発明の適用がSD-Video規格に限られるものではない。同様に、メモリカードＭＣもＳＤメモリカード（商標）に限られるものではなく、任意の外部メモリ媒体とすることができる。
【０１０６】
また、上記実施形態では、デジタルテレビジョン放送による放送番組（映像）を録画する場合を例示したが、これに限られず、例えば、地上デジタル音声放送（いわゆる、デジタル・ラジオ）の録音などに本発明を適用してもよい。
【０１０７】
なお、上記実施形態では、本発明を移動体通信端末に適用した場合を例示したが、デジタルテレビジョン放送の受信・録画機能を有しているものであれば、移動体通信端末に限られず、種々の携帯型電子機器（例えば、ＰＤＡ（Personal Digital Assistants：携帯情報端末）、デジタルカメラ、パーソナルコンピュータ、など）に本発明を適用することができる。
【０１０８】
このような携帯型電子機器は、上記実施形態で示した移動体通信端末１のように、予め本発明を適用した形で提供可能であることはもとより、上記実施形態の制御部１００が実行したプログラムと同様のプログラムを適用することで、既存の携帯型電子機器を、本発明にかかる携帯型電子機器として機能させることができる。このようなプログラムを提供する形態は任意であり、プログラムをＤＶＤ（Digital Versatile Disk）やメモリカードなどの記録媒体に格納して提供可能である他、インターネットなどの通信媒体を介して配布することで提供することもできる。このようにして提供されたプログラムを装置に適用し、当該装置のコンピュータ（ＣＰＵなど）が実行することで、上述した各機能や動作が実現されることになる。
【図面の簡単な説明】
【０１０９】
【図１】本発明の実施形態にかかる移動体通信端末の構成を示すブロック図である。
【図２】図１に示す制御部によって実現される機能構成を示す機能ブロック図である。
【図３】本発明の実施形態にかかる放送受信・録画処理を説明するためのフローチャートである。
【図４】図３に示す放送受信・録画処理で実行されるコピー制御処理を説明するためのフローチャートである。
【図５】図３に示す放送受信・録画処理で実行される録画ファイル生成処理を説明するためのフローチャートである。
【図６】図１に示す移動体通信端末のデジタルテレビジョン放送受信機能で受信されるデータを説明するための図であり、（ａ）はＴＳパケットシーケンスの構成例を示し、（ｂ）はＴＳパケットシーケンスに挿入されるデジタルコピー制御情報の例を示す。
【図７】図１に示す移動体通信端末のデジタルテレビジョン録画機能で生成されるデータを説明するための図であり、（ａ）はＴＯＤパケットシーケンスの構成例を示し、（ｂ）はＴＯＤパケットシーケンスに挿入されるコピー制御情報の例を示す。
【図８】図３に示す放送受信・録画処理で生成されるデータの格納場所を説明するための図である。
【図９】図５に示す録画ファイル生成処理で生成される録画ファイルのデータ構造を説明するための図であり、（ａ）は録画ファイルのデータ構成例を示し、（ｂ）は録画ファイルに含まれる結合情報領域のデータ構成例を示す。
【図１０】SD-Video規格に基づく録画データのファイル構造の例を示す図である。
【符号の説明】
【０１１０】
１…移動体通信端末、１０…通信機能部、１１…アンテナ、１２…スピーカ、１３…マイクロフォン、２０…放送受信部、２１…アンテナ、３０…操作部、４０…表示部、５０…データメモリ（内蔵メモリ）、６０…カードＩ／Ｆ、ＭＣ…メモリカード（外部メモリ）、７０…プログラムメモリ、８０…ワークメモリ、１００…制御部（録画制御部）、１１０…録画操作判別部、１２０…コピー制御判別部、１３０…録画データ生成部、１４０…コピー制御部、１５０…データ暗号化部、１６０…ファイル生成部
【図１】
2008035352.tif 000003
【図２】
2008035352.tif 000004
【図３】
2008035352.tif 000005
【図４】
2008035352.tif 000006
【図５】
2008035352.tif 000007
【図６】
2008035352.tif 000008
【図７】
2008035352.tif 000009
【図８】
2008035352.tif 000010
【図９】
2008035352.tif 000011
【図１０】
2008035352.tif 000012